(57)【要約】【課題】一本の歯ブラシで傾倒角度の異なるタフトの使い分けを可能にして、刷掃効果の向上を容易に図ることのできる歯ブラシを提供する。【解決手段】複数本のブリッスル１１からなる複数のタフト１２が傾倒可能に植毛台１４に植設された歯ブラシで１０あって、植毛台１４は、下側植毛台１４ａとこの下側植毛台１４ａに対してスライド可能に一体化された上側可動部１４ｂとからなる。下側植毛台１４ａの植毛穴１６にタフト１２が植毛され、また上側可動部１４ｂには植毛穴１６と対応する位置にタフト挿通穴１７が形成され、上側可動部１４ｂを歯ブラシ１０の長手方向Ｘにスライドさせてこのスライド方向Ｘにタフト１２を傾倒させる。タフト１２は、下側植毛台１４ａに融着植毛法又は接着植毛法によって植毛されている。【選択図】　　　　図３
2004041404.tif 000002
【特許請求の範囲】
【請求項１】
複数本のブリッスルからなる複数のタフトが傾倒可能に植毛台に植設された歯ブラシであって、
前記植毛台は、下側植毛台と該下側植毛台に対してスライド可能に一体化された上側可動部とからなり、前記下側植毛台の植毛穴に前記タフトが植毛され、前記上側可動部には前記植毛穴と重なる位置にタフト挿通穴が形成され、前記上側可動部をスライドさせてスライド方向に前記タフトを傾倒させる歯ブラシ。
【請求項２】
前記タフトは、前記下側植毛台に融着植毛法又は接着植毛法によって植毛されている請求項１記載の歯ブラシ。
【請求項３】
前記上側可動部は、前記下側植毛台に対して歯ブラシの長手方向にスライド可能となっている請求項１又は２に記載の歯ブラシ。
【発明の詳細な説明】
【０００１】
【発明の属する技術分野】
本発明は、複数本のブリッスルからなる複数のタフトが傾倒可能に植毛台に植設された歯ブラシに関する。
【０００２】
【従来の技術及び発明が解決しようとする課題】
歯ブラシは、ブリッスルを束ねて構成されるタフトを、植毛台に設けられた複数の植毛穴に平線を打ち込む方法等によって植毛固定することにより形成されるものである。また、タフトは、植毛台に対して垂直に植毛されるものが一般的であるが、特定箇所の刷掃効果の向上や刷掃時の感触の向上等を目的として、タフトを傾倒させて植毛した歯ブラシが、例えば実公平２−６８２１号公報、実開平５−８８３２５号公報等に開示されている。
【０００３】
タフトを傾倒させた歯ブラシは、口腔内の特定の箇所に使用する際には有効であるが、タフトを垂直に植毛した歯ブラシの方がより高い刷掃効果が得られる箇所もあることから、口腔内の全体の刷掃効果をさらに高めるためには、タフトを垂直に植毛した他の歯ブラシと併用する必要がある。一方、傾倒させたタフトと垂直なタフトとを１本の歯ブラシの植毛台に混在させたものも知られているが、各々の特定の箇所に対して刷掃効果を有効に発揮するタフトの数が少なくなることから、全体の刷掃効果は却って低下することになると共に、傾倒させたタフトと垂直なタフトの各々による効果が最大限発現されるようにこれらの植毛部位を考慮した歯ブラシの設計・製造は、その作業が煩雑になる。
【０００４】
本発明は、一本の歯ブラシで傾倒角度の異なるタフトの使い分けを可能にして、刷掃効果の向上を容易に図ることのできる歯ブラシを提供することを目的とする。
【０００５】
【課題を解決するための手段】
本発明は、複数本のブリッスルからなる複数のタフトが傾倒可能に植毛台に植設された歯ブラシであって、前記植毛台は、下側植毛台と該下側植毛台に対してスライド可能に一体化された上側可動部とからなり、前記下側植毛台の植毛穴に前記タフトが植毛され、前記上側可動部には前記植毛穴と重なる位置にタフト挿通穴が形成され、前記上側可動部をスライドさせてスライド方向に前記タフトを傾倒させる歯ブラシを提供することにより、上記目的を達成したものである。
【０００６】
本発明の歯ブラシによれば、下側植毛台に対してスライド可能に一体化された上側可動部は、下側植毛台の植毛穴と重なる位置にタフト挿通穴を備えているので、上側可動部をスライドさせる操作によって、重なり合った植毛穴とタフト挿通穴の位置をずらしてスライド方向にタフトを押し倒すことができ、これによってタフトを容易かつスムースに傾倒させることが可能になる。そして、タフトを例えば歯ブラシの長手方向に傾倒させることにより、植毛台に対して垂直に植毛されたタフトでは届きにくかった奥歯の歯間部や奥歯の裏側までも十分に刷掃することが可能になり、またタフトを例えば歯ブラシの長手方向と垂直な方向に傾倒させることにより、歯間部へのブリッスルの挿入性を向上させることが可能になる。また、可動部を反対側にスライドさせることによって、植毛台に対してタフトが垂直に立設する状態に容易に復元させることができ、このようなタフトが垂直に立設する状態では、歯面の平面部分の歯垢を効率良く落とすことが可能になる。このように、タフトの傾倒する角度を異ならせて使用することにより、一本の歯ブラシで口腔内の全体の刷掃効果を容易に向上させることが可能になる。なお、タフトの傾倒角度は、上側可動部の下側植毛台に対するスライド量によって容易に調整することができる。
【０００７】
また、本発明によれば、融着植毛法又は接着植毛法によってタフトを植毛台に植毛することが好ましい。融着植毛法又は接着植毛法によってタフトを植毛すれば、下側植毛台の厚さを例えば２．０〜３．０ｍｍ程度の薄い厚さに留めることができ、これによって、植毛台を下側植毛台と上側可動部とによる二重構造としても全体の厚さを薄く維持することができ、植毛台が厚過ぎることによる口の中での操作性の低下を回避して、汚れ落とし効果の低下を防止することが可能になる。
【０００８】
さらに、本発明によれば、上側可動部は下側植毛台に対して種々の方向にスライド可能な構成とすることができるが、上側可動部を下側植毛台に対して歯ブラシの長手方向にスライドさせることにより、歯ブラシの把持部の軸方向とスライド方向とが一致するので、スライドさせるための構成を簡易にすることができ、またスライドさせるための操作も容易になる。
【０００９】
【発明の実施の形態】
以下本発明をその好ましい実施形態について説明する。本実施形態の歯ブラシ１０は、図１に示すように、把持部（図示せず）と植毛台１４とこれらを連結する首部１５とからなる歯ブラシ本体１３の植毛台１４に、ブリッスル１１を複数本束ねて構成されるタフト（ブリッスル束）１２を傾倒可能に複数植設してなるものである。
【００１０】
そして、本実施形態の歯ブラシ１０によれば、図２（ａ），（ｂ）及び図３（ａ），（ｂ）にも示すように、植毛台１４は、下側植毛台１４ａと、この下側植毛台１４ａに対してスライド可能に一体化された上側可動部１４ｂとからなる。また下側植毛台１４ａの植毛穴１６にタフト１２が植毛され、上側可動部１４ｂには植毛穴１６と平面的に重なる位置にタフト挿通穴１７が形成され、上側可動部１４ｂをスライドさせてこのスライド方向にタフト１２を傾倒させることができるようになっている（図３（ａ），（ｂ）参照）。
【００１１】
歯ブラシ本体１３は、例えばポリプロピレン、ＡＢＳ樹脂等の合成樹脂によって形成されている。本実施形態によれば、植毛台１４と共に、把持部及び首部１５を含めた歯ブラシ本体１３の全体が、水平に二分割された下側本体１３ａと上側本体１３ｂとからなるスライド可能に一体化された二重構造を備えている。そして、例えばこれらの接合部に設けられた案内レール等の簡易な構成のスライド案内手段に沿って移動させることにより、上側本体１３ｂは下側本体１３ａに対して歯ブラシ１０の長手方向Ｘにスライド可能となっている。従って、上側本体１３ｂの先端部分を構成する上側可動部１４ｂもまた、下側本体１３ａの先端部分を構成する下側植毛台１４ａに対して歯ブラシ１０の長手方向Ｘにスライド可能となっている。
【００１２】
下側植毛台１４ａは、水平に二分割された植毛台１４の下側の部分であって、２．０〜３．０ｍｍ程度の厚さを有している。下側植毛台１４ａには、これの全体に略均等に分散配置されて、例えば孔径が０．８〜３．０ｍｍ程度の大きさの円形の植毛穴１６が複数設けられており、これらの植毛穴１６には、インモールド植毛法等の公知の各種の融着植毛法や接着植毛法によってタフト１２が各々植毛されている。
【００１３】
上側可動部１４ｂは、水平に二分割された植毛台１４の上側の部分であって、１．０〜２．０ｍｍ程度の厚さを有している。この上側可動部１４ｂには、下側植毛台１４ａの植毛穴１６と平面的に重なる位置に、植毛穴１６と同じ大きさ及び形状の円形のタフト挿通穴１７が複数開口形成されている。タフト挿通穴１７は、上側可動部１４ｂの周縁部と下側植毛台１４ａの周縁部とが合致している上側可動部１４ｂをスライドさせていない状態では、各植毛穴１６と同心状に合致して開口しており、このらのタフト挿通穴１７には、植毛穴１６に植毛されたタフト１２の基端部分が各々挿通されている。そして、上側可動部１４ｂを長手方向Ｘにスライド移動させた際には、タフト挿通穴１７は、その位置が各植毛穴１６からスライド方向に僅かにずれて、タフト１２の押し倒すように傾倒させることができるようになっている（図３（ａ），（ｂ）参照）。
【００１４】
各タフト１２を構成するブリッスル１１は、ナイロン等の合成樹脂からなる例えば０．１〜０．３ｍｍの太さを有するフィラメント材であって、これを例えば数本〜数百本束ねることによって各タフト１２が形成される。
【００１５】
本実施形態によれば、各タフト１２は、融着植毛法や接着植毛法によって、上側可動部１４ｂの表面から７．０〜１４．０ｍｍ程度の毛丈となるように各植毛穴１６に各々植毛され、これによって根元部における断面形状が、植毛穴１６と略同様の０．８〜３．０ｍｍ程度の束径の略円形断面となっている。また、各タフト１２は、融着植毛法や接着植毛法によって植毛台１４ａに植毛されていることにより、下側植毛台１４ａの厚さを例えば２．０〜３．０ｍｍ程度の薄い厚さに留めることができ、これによって、植毛台１４を下側植毛台１４ａと上側可動部１４ｂとによる二重構造としても、全体の厚さを４．０〜５．０ｍｍ程度の薄い厚さに維持し、これによって植毛台１４が厚過ぎることによる口の中での操作性の低下を回避して、汚れ落とし効果の低下を防止することができるようになっている。
【００１６】
そして、本実施形態の歯ブラシ１０によれば、一本の歯ブラシ１０で傾倒角度の異なるタフト１２の使い分けを可能にして、刷掃効果の向上を容易に図ることができる。すなわち、本実施形態によれば、タフト１２を植毛台１４に対して垂直に立設させて歯ブラシ１０による刷掃作業を行っている状態から、歯ブラシ１０の把持部を把持したままの状態で、例えば親指を上側本体１３ｂに圧着させて当該上側本体１３ｂを長手方向Ｘの先端側に向けて把持部の軸方向に沿って押し出すだけの簡易な操作により、可動部１４ｂを長手方向Ｘにスライド移動させて、タフト１２を容易かつスムースに傾倒させることできる。ここで、タフト１２を歯ブラシ１０の長手方向に傾倒させることにより、植毛台に対して垂直に植毛されたタフトでは届きにくかった奥歯の歯間部や奥歯の裏側までも十分に刷掃することが可能になる。一方、例えば親指を上側本体１３ｂに圧着させて当該上側本体１３ｂを長手方向Ｘの後端側に引き込むことにより、可動部１４ｂを反対側にスライド移動させて、タフト１２が植毛台１４に対して垂直に立設する状態に容易かつスムースに復元させることができる。タフト１２が垂直に立設する状態では、歯面の平面部分の歯垢を効率良く落とすことが可能になる。このように、タフト１２の傾倒する角度を異ならせて使用することにより、一本の歯ブラシ１０で口腔内の全体の刷掃効果を容易に向上させることが可能になる。
【００１７】
また、本実施形態によれば、各タフト１２を傾倒させるには、下側植毛台１４ａにおける植毛穴１６の開口面を支点とし、上側可動部１４ｂのタフト挿通穴１７を作用点として負荷される、相当の大きさのモーメント力が必要である。したがって、本実施形態によれば、図２（ｂ）や図３（ｂ）に示すように、下側植毛台１４ａと上側可動部１４ｂとの間に例えば０．２〜０．５ｍｍ程度の隙間ｄを設けていることにより、タフト１２を容易かつスムースに傾倒させることできるようになっている。
【００１８】
なお、本発明は、上記実施形態に限定されることなく種々の変更が可能である。例えば、植毛台を可動部に対して歯ブラシの長手方向Ｘにスライドさせることにより当該長手方向Ｘにタフトを傾倒させる必要は必ずしもなく、歯ブラシの長手方向Ｘと垂直な方向や、斜めの方向にスライドさせてこれらの方向にタフトを傾倒させることもできる。また、タフトは、融着植毛法又は接着植毛法によって植毛台に植毛される必要は必ずしもなく、平線植毛によって植毛されるものであっても良い。
【００１９】
【発明の効果】
本発明の歯ブラシによれば、一本の歯ブラシで傾倒角度の異なるタフトの使い分けを可能にして、刷掃効果の向上を容易に図ることができる。
【図面の簡単な説明】
【図１】本発明の一実施形態に係る歯ブラシの要部を示す斜視図である。
【図２】（ａ）は本発明の一実施形態に係る歯ブラシのタフトを垂直に立設させた状態の側面図、（ｂ）は可動部をスライドする前の状態の説明図である。
【図３】（ａ）は本発明の一実施形態に係る歯ブラシのタフトを傾倒させた状態の側面図、（ｂ）は可動部をスライドした後の状態の説明図である。
【符号の説明】
１０　歯ブラシ
１１　ブリッスル
１２　タフト
１３　歯ブラシ本体
１３ａ　下側本体
１３ｂ　上側本体
１４　植毛台
１４ａ　下側植毛台
１４ｂ　上側可動部
１５　首部
１６　植毛穴
１７　タフト挿通穴
Ｘ　歯ブラシの長手方向
【図１】
2004041404.tif 000003
【図２】
2004041404.tif 000004
【図３】
2004041404.tif 000005